【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  第１のネットワーク特定情報により特定される、ユーザの個人情報を管理する第１のサーバとともに、所定のネットワークに接続される第２のサーバが、第２のネットワーク特定情報により特定される処理を実行することで、所定のサービスの提供を受ける情報処理装置において、
前記第１のネットワーク特定情報を記憶する記憶手段と、
前記第２のネットワーク特定情報を取得する第１の取得手段と、
前記ユーザを認証するために必要な認証データを取得する第２の取得手段と、
前記第１の取得手段により取得された前記第２のネットワーク特定情報により特定される処理が前記第２のサーバにより実行されることで、前記サービスの提供を受けることができるように、前記記憶手段に記憶されている前記第１のネットワーク特定情報により特定される前記個人情報を管理する前記第１のサーバに、前記第１のネットワーク特定情報および前記第２のネットワーク特定情報を含む制御情報を送信する送信手段と
を備えることを特徴とする情報処理装置。
【請求項２】  前記第１の取得手段は、前記第２のネットワーク特定情報を、自分自身が有するマイクロフォンにより取り込まれた前記音声、自分自身が有するイメージセンサにより得られた画像、自分自身が有する前記赤外線センサにより受光された赤外線、または自分自身が有する高周波アンテナにより受信された高周波から取得する
ことを特徴とする請求項１に記載の情報処理装置。
【請求項３】  第１のネットワーク特定情報により特定される、ユーザの個人情報を管理する第１のサーバとともに、所定のネットワークに接続される第２のサーバが、第２のネットワーク特定情報により特定される処理を実行することで、所定のサービスの提供を受ける情報処理装置の情報処理方法において、
前記第１のネットワーク特定情報を記憶する記憶ステップと、
前記第２のネットワーク特定情報を取得する第１の取得ステップと、
前記ユーザを認証するために必要な認証データを取得する第２の取得ステップと、
前記第１の取得ステップの処理で取得された前記第２のネットワーク特定情報により特定される処理が前記第２のサーバにより実行されることで、前記サービスの提供を受けることができるように、前記記憶ステップに記憶されている前記第１のネットワーク特定情報により特定される前記個人情報を管理する前記第１のサーバに、前記第１のネットワーク特定情報および前記第２のネットワーク特定情報を含む制御情報を送信する送信ステップと
を含むことを特徴とする情報処理方法。
【請求項４】  第１のネットワーク特定情報により特定される、ユーザの個人情報を管理する第１のサーバとともに、所定のネットワークに接続される第２のサーバが、第２のネットワーク特定情報により特定される処理を実行することで、所定のサービスの提供を受ける情報処理装置のプログラムにおいて、
前記第１のネットワーク特定情報を記憶する記憶ステップと、
前記第２のネットワーク特定情報を取得する第１の取得ステップと、
前記ユーザを認証するために必要な認証データを取得する第２の取得ステップと、
前記第１の取得ステップの処理で取得された前記第２のネットワーク特定情報により特定される処理が前記第２のサーバにより実行されることで、前記サービスの提供を受けることができるように、前記記憶ステップに記憶されている前記第１のネットワーク特定情報により特定される前記個人情報を管理する前記第１のサーバに、前記第１のネットワーク特定情報および前記第２のネットワーク特定情報を含む制御情報を送信する送信ステップと
を含むことを特徴とするコンピュータが読み取り可能なプログラムが記録されている記録媒体。
【請求項５】  それぞれネットワークを介して接続される、第１のネットワーク特定情報を保持する携帯端末、前記第１のネットワーク特定情報により特定される、ユーザの個人情報を管理する第１のサーバ、および第２のネットワーク特定情報により特定される処理を実行する第２のサーバからなるサービス提供システムにおいて、
前記携帯端末は、
前記第１のネットワーク特定情報を記憶する第１の記憶手段と、
前記第２のネットワーク特定情報を取得する第１の取得手段と、
前記ユーザを認証するために必要な認証データを取得する第２の取得手段と、
前記第１の取得手段により取得された前記第２のネットワーク特定情報により特定される処理が前記第２のサーバにより実行されることで、所定のサービスの提供を受けることができるように、前記第１の記憶手段に記憶されている前記第１のネットワーク特定情報により特定される前記個人情報を管理する前記第１のサーバに、前記第１のネットワーク特定情報および前記第２のネットワーク特定情報を含む制御情報を供給する第１の供給手段と、
前記第２の取得手段により取得された前記認証データを、前記第１のサーバに供給する第２の供給手段と
を備え、
前記第１のサーバは、
前記第１のネットワーク特定情報により特定される前記個人情報を管理する第１の管理手段と、
前記携帯端末の前記第１の供給手段により供給された前記制御情報に含まれる前記第２のネットワーク特定情報により特定される処理を実行する前記第２のサーバに、前記制御情報および前記個人情報に基づく前記サービスの提供を要求する第１の要求手段と、
前記第２のサーバからの要求に基づいて、前記携帯端末の前記第２の供給手段により供給された前記認証データに基づき前記ユーザを認証する第１の認証手段と、
前記第１の認証手段による認証結果を、前記第２のサーバに供給する第３の供給手段と
を備え、
前記第２のサーバは、
前記第２のネットワーク特定情報により特定される処理を管理する第２の管理手段と、
前記第１のサーバの第１の要求手段による要求があったとき、前記ユーザの認証を前記第１のサーバに要求する第２の要求手段と、
前記第１のサーバの第３の供給手段により供給された前記認証結果が、前記ユーザが、前記サービス提供システムの正規のユーザである旨を示しているとき、前記第２のネットワーク特定情報により特定される処理を、前記制御情報および前記個人情報に基づいて実行する第１の実行手段と
を備えることを特徴とするサービス提供システム。
【請求項６】  前記携帯端末に対する、前記ネットワークのアクセスポートとしてのアクセスポート端末が、前記ネットワークにさらに接続されている場合において、
前記携帯端末の前記第１の供給手段または前記第２の供給手段は、前記制御情報または前記認証データを、前記アクセスポート端末に供給し、
前記アクセスポート端末は、前記携帯端末の前記第１の供給手段または前記第２の供給手段から供給された前記制御情報または前記認証データを、前記第１のサーバに供給する第４の供給手段
を備えることを特徴とする請求項５に記載のサービス提供システム。
【請求項７】  前記携帯端末の、
前記第１の記憶手段は、前記第１のネットワーク特定情報の公開鍵をさらに記憶し、
前記第２の供給手段は、前記第１のネットワーク特定情報の公開鍵を、前記アクセスポート端末にさらに供給し、
前記アクセスポート端末の前記第４の供給手段は、前記携帯端末の前記第２の供給手段により供給された、前記第１のネットワーク特定情報の公開鍵で、前記認証データを暗号化し、暗号化された前記認証データを、前記制御情報とともに、前記第１のサーバに供給し、
前記第１のサーバの、
前記第１の管理手段は、前記第１のネットワーク特定情報の秘密鍵を個人情報としてさらに管理し、
前記第１の認証手段は、前記個人情報に含まれる前記第１のネットワーク特定情報の秘密鍵で、前記アクセスポート端末の前記第４の供給手段から供給された前記認証データの暗号化を解凍し、暗号化が解凍された前記認証データに基づいて、前記ユーザを認証する
ことを特徴とする請求項６に記載のサービス提供システム。
【請求項８】  前記第２のサーバの前記第１の実行手段により、前記第２のネットワーク特定情報により特定される処理が実行されたとき、所定のサービス情報が、前記携帯端末に供給される場合において、
前記第１のサーバの前記第１の管理手段は、前記携帯端末の公開鍵をさらに管理し、
前記第１のサーバは、前記サービス情報を、前記携帯端末の公開鍵で暗号化し、暗号化された前記サービス情報を、前記携帯端末に供給する第４の供給手段
をさらに備え、
前記携帯端末の前記第１の記憶手段は、自分自身の秘密鍵をさらに記憶し、
前記携帯端末は、前記第１のサーバの前記第４の供給手段により供給された前記サービス情報の暗号化を、前記自分自身の秘密鍵で解凍する解凍手段
をさらに備えることを特徴とする請求項５に記載のサービス提供システム。
【請求項９】  所定のサービス端末がさらに前記ネットワークに接続され、前記第２のネットワーク特定情報により特定される処理が精算処理である場合において、
前記携帯端末の、
前記第１の取得手段は、前記第２のネットワーク特定情報とともに、金額情報を、前記サービス端末から取得し、
前記第１の供給手段は、前記精算処理が前記第２のサーバにより実行されることで、前記金額情報に示される料金の精算を行うことができるように、前記第１のサーバに、前記第１のネットワーク特定情報、前記第２のネットワーク特定情報、および前記金額情報を含む前記制御情報を供給し、
前記第１のサーバの前記第１の要求手段は、前記携帯端末の前記第１の供給手段により供給された前記制御情報に含まれる前記第２のネットワーク特定情報により特定される前記精算処理を実行する前記第２のサーバに、前記金額情報および前記個人情報に基づく精算を行うことを要求し、
前記第２のサーバの前記第１の実行手段は、前記第１のサーバの前記第３の供給手段により供給された前記認証結果が、前記ユーザが、前記サービス提供システムの正規のユーザである旨を示しているとき、前記精算処理を、前記金額情報および前記個人情報に基づいて実行する
ことを特徴とする請求項５に記載のサービス提供システム。
【請求項１０】  前記第１のサーバの、
前記第１の管理手段は、前記認証結果を、所定の有効期限を付して管理し、
前記第１の認証手段は、前記第２のサーバの前記第２の要求手段による要求に基づいて、前記認証結果が有効であるか否かを、前記有効期限に基づいて判定し、
前記第３の供給手段は、前記認証結果を、前記第２のサーバに供給し、
前記第２のサーバの、
前記第２の要求手段は、所定のタイミングで、前記ユーザの認証を、前記第１のサーバに要求し、
前記第１の実行手段は、前記第１のサーバの前記第３の供給手段により供給された前記認証結果が、前記認証結果が有効である旨を示しているとき、前記第２のネットワーク特定情報により特定される処理を、前記制御情報および前記個人情報に基づいて実行する
ことを特徴とする請求項５に記載のサービス提供システム。
【請求項１１】  前記サービス提供システムが、それぞれ異なる前記第２のネットワーク特定情報により特定される処理を実行する１個または複数のサービス処理実行装置をさらに含む場合において、
前記第１のサーバの前記第１の要求手段は、前記第２のサーバおよび前記サービス処理実行装置に、前記制御情報および前記個人情報に基づく前記サービスの提供を要求し、
前記サービス処理実行装置は、それぞれの前記第２のネットワーク特定情報により特定される処理を実行する第２の実行手段
を備えることを特徴とする請求項５に記載のサービス提供システム。
【請求項１２】  前記第２のサーバの前記第１の実行手段により、前記第２のネットワーク特定情報により特定される処理が実行された結果、前記携帯端末が所定のサービス情報の提供を受ける場合において、
前記携帯端末は、
前記サービス情報を一時的に記憶する第２の記憶手段と、
前記第２の記憶手段に記憶されている前記サービス情報のデータ量を監視し、所定のデータ量以上の前記サービス情報が記憶されたとき、ブックマークが付されていない前記サービス情報、または前記ブックマークが付されたホームページとリンクされていない前記サービス情報を、優先的に削除する削除手段と
をさらに備えることを特徴とする請求項５に記載のサービス提供システム。
【請求項１３】  それぞれネットワークを介して接続される、第１のネットワーク特定情報を保持する携帯端末、前記第１のネットワーク特定情報により特定される、ユーザの個人情報を管理する第１のサーバ、第２のネットワーク特定情報により特定される処理を実行する第２のサーバ、前記第２のネットワーク特定情報を保持するサービス端末からなるサービス提供システムにおいて、
前記携帯端末は、
前記第１のネットワーク特定情報を記憶する記憶手段と、
前記第２のネットワーク特定情報およびアクセスパターン検出のためのアクセス情報を、前記サービス端末から取得する第１の取得手段と、
前記第１の取得手段により取得された前記第２のネットワーク特定情報により特定される処理が前記第２のサーバにより実行されることで、所定のサービスの提供を受けることができるように、前記記憶手段に記憶されている前記第１のネットワーク特定情報により特定される前記個人情報を管理する前記第１のサーバに、前記第１のネットワーク特定情報、前記第２のネットワーク特定情報、および前記アクセス情報を含む制御情報を、前記サービス端末に供給する第１の供給手段と
を備え、
前記サービス端末は、
前記第２のネットワーク特定情報を保持する第１の保持手段と、
前記携帯端末の前記第１の取得手段による自分自身に対するアクセスから、前記アクセス情報を取得する第２の取得手段と、
前記携帯端末の前記第１の取得手段により取得されるように、前記第２のネットワーク特定情報および前記アクセス情報を、前記携帯端末に供給する第２の供給手段と、
前記携帯端末の前記第１の供給手段により供給された前記制御情報を、前記第１のサーバに供給する第３の供給手段と
を備え、
前記第１のサーバは、
前記第１のネットワーク特定情報により特定される前記個人情報を管理する第１の管理手段と、
前記サービス端末の前記第２の供給手段により供給された前記制御情報に含まれる前記第２のネットワーク特定情報により特定される処理を実行する前記第２のサーバに、前記制御情報、前記個人情報、および前記アクセス情報に基づく前記サービスの提供を要求する第１の要求手段と
を備え、
前記第２のサーバは、
前記第２のネットワーク特定情報により特定される処理を管理する第２の管理手段と、
前記第１のサーバの前記第１の要求手段による要求に基づいて、前記第２のネットワーク特定情報により特定される前記処理を、前記制御情報、前記個人情報、および前記アクセス情報に基づいて実行する実行手段と
を備えることを特徴とするサービス提供システム。
【請求項１４】  第１の前記サービス端末が、第１の場所に設けられ、第２の前記サービス端末が、第２の場所に設けられ、前記携帯端末の前記第１の取得手段は、前記第１のサービス端末に先にアクセスし、その後、前記第２のサービス端末にアクセスする場合において、
前記アクセス情報は、アクセスされた時刻を含み、
前記第２のサーバの実行手段は、前記第１のサービス端末の前記第１の取得手段により取得された前記アクセス情報に含まれる前記時刻と、前記第２のサービス端末の前記第１の取得手段により取得された前記アクセス情報に含まれる時刻との差分を算出するとともに、その算出結果が、所定の時間以上であるか否かを判定し、前記時間以上であると判定した場合、前記第２のネットワーク特定情報により特定される処理を実行する
ことを特徴とする請求項１３に記載のサービス提供システム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】削除
【補正の内容】
【手続補正３７】
【補正対象書類名】明細書
【補正対象項目名】００５６
【補正方法】削除
【補正の内容】
【手続補正３８】
【補正対象書類名】明細書
【補正対象項目名】００６０
【補正方法】削除
【補正の内容】
【手続補正３９】
【補正対象書類名】明細書
【補正対象項目名】００６１
【補正方法】削除
【補正の内容】